(57)【要約】 【課題】  速やかにＰＳＴＮ電話通信をＶｏＩＰ電話通信に変更するとともに、変更操作に伴うユーザの負担を減少させることが可能な電話通信装置を提供する。【解決手段】  電話通信装置１００は、ＰＳＴＮ電話通信の着信時に、ダイヤル検出信号検出回路１７で相手先のＰＳＴＮ電話番号を検出し、記憶手段１０に記憶されている電話帳データを参照して、ＰＳＴＮ電話番号に関連付けられたＶｏＩＰ電話番号を取得する。ＣＰＵ９は、ＰＳＴＮ電話通信を終了するとともに、取得したＶｏＩＰ電話番号に基づいてＶｏＩＰ電話通信の発信を行う。ＰＳＴＮ電話通信を終了する前に、相手先の電話通信装置に対して、電話通信を切り替えることを示すメッセージ、たとえば「ＩＰ電話で電話を掛け直しますので、電話を切ってお待ちください」などの音声メッセージを送出することが好ましい。【選択図】      図１
2006080997.tif 000002
【特許請求の範囲】
【請求項１】
公衆電話交換回線網を介するアナログ電話通信とインターネットプロトコルを利用するデジタル電話通信とを行う電話通信装置であって、
前記アナログ電話通信用の電話番号と、前記デジタル電話通信用の電話番号とを関連付けて記憶する記憶手段と、
着信時に相手先の電話番号を検出する発信者番号検出手段と、
前記アナログ電話通信または前記デジタル電話通信で発信を行う発信手段と、
検出された相手先の電話番号が、前記記憶手段にアナログ電話通信用の電話番号として記憶されているかどうかを判断し、アナログ電話通信用の電話番号が記憶されていた場合はアナログ電話通信用の電話番号に関連付けられたデジタル電話通信用の電話番号が記憶されているかどうかを判断し、デジタル電話通信用の電話番号が記憶されていた場合は、前記発信手段にデジタル電話通信で発信を行わせる制御手段とを有することを特徴とする電話通信装置。
【請求項２】
相手先の電話通信装置に対して音声メッセージを送出するメッセージ送出手段を有し、
前記デジタル電話通信用の電話番号が記憶されていた場合、前記制御手段は、アナログ電話通信を行い、デジタル電話通信に切り替えることを示す音声メッセージをアナログ電話通信によって前記メッセージ送出手段に送出させ、アナログ電話通信を終了させた後、前記発信手段にデジタル電話通信で発信を行わせることを特徴とする請求項１記載の電話通信装置。
【請求項３】
相手先の電話通信装置に対して音声メッセージを送出するメッセージ送出手段を有し、
前記デジタル電話通信用の電話番号が記憶されていた場合、前記制御手段は、アナログ電話通信を行い、前記発信手段にデジタル電話通信で発信を行わせ、相手先の呼び出しを確認した後、デジタル電話通信に切り替えることを示す音声メッセージをアナログ電話通信によって前記メッセージ送出手段に送出させ、アナログ電話通信を終了させることを特徴とする請求項１記載の電話通信装置。
【請求項４】
相手先の電話通信装置に対して音声メッセージを送出するメッセージ送出手段を有し、
前記デジタル電話通信用の電話番号が記憶されていた場合、前記制御手段は、前記発信手段にデジタル電話通信で発信を行わせ、相手先の呼び出しを確認した後、アナログ電話通信が開始していれば、デジタル電話通信に切り替えることを示す音声メッセージをアナログ電話通信によって前記メッセージ送出手段に送出させ、アナログ電話通信を終了させることを特徴とする請求項１記載の電話通信装置。
【請求項５】
前記デジタル電話通信用の電話番号が記憶されていた場合、前記制御手段は、前記発信手段にデジタル電話通信で発信を行わせ、相手先の呼び出しを確認した後、アナログ電話通信が開始していなければ、アナログ電話通信を終了させることを特徴とする請求項１記載の電話通信装置。
【請求項６】
ユーザが前記アナログ電話通信用の電話番号または前記デジタル電話通信用の電話番号を入力するための入力手段を有し、
前記入力手段によって、アナログ電話通信用の電話番号が入力された場合、前記制御手段は、
前記記憶手段に入力された電話番号に関連付けられたデジタル電話通信用の電話番号が記憶されているかどうかを判断し、デジタル電話通信用の電話番号が記憶されていた場合は、前記発信手段にアナログ電話通信での発信ではなくデジタル電話通信で発信を行わせることを特徴とする請求項１記載の電話通信装置。
【発明の詳細な説明】
【技術分野】
【０００１】
本発明は、公衆電話交換回線網（以下、Public Switched Telephone Network から「ＰＳＴＮ」と略称することがある）を介しての通話および通信が可能なＰＳＴＮ電話機能を有し、且つインターネットを介し、インターネットプロトコル（Internet Protocol 以下、「ＩＰ」と略称することがある）を利用して通信および通話が可能なＩＰ電話機能を兼ね備えた電話通信装置に関する。
【背景技術】
【０００２】
従来から公衆回線網を介した電話通信であるＰＳＴＮ電話通信は、広く利用されているが、近年非対称デジタル加入者回線網（略称ＡＤＳＬ：Asymmetric Digital Subscriber
Line）、およびＣＡＴＶ（Cable Television）、ＦＴＴＨ（Fiber To The Home）などの光ファイバ網の発展など、インターネットによるデジタル通信網の拡充により、また、インターネットを利用することで通信料金が低化傾向にあることにより、インターネットを介したＶｏＩＰ（Voice over IP）による電話通信であるＶｏＩＰ電話通信が普及しつつある。しかし、ＶｏＩＰ電話通信は、ＰＳＴＮ電話通信による通信可能な相手先の範囲を全てカバーできていないこと、停電時には通信不可能であることなどから、単独で用いられるのではなく、ＰＳＴＮ電話通信と併用されることが一般的である。さらに、ＰＳＴＮ電話通信およびＶｏＩＰ電話通信を共に行うことが可能な電話通信装置では、電話を掛ける側のユーザの選択によって、何れかの電話通信を選択的に使用することが可能となっている。このような電話通信装置では、電話番号、ＩＰアドレスなど入力された相手先の識別番号によって、ＰＳＴＮ電話通信を行うかＶｏＩＰ電話通信を行うかを判断し、適切な電話通信を行っている（たとえば、特許文献１参照）。
【０００３】
また電話通信装置の多くには、相手先の名称などと電話番号とを関連付けて記憶する電話帳機能が内蔵されており、ユーザが電話帳機能で電話番号を選択することによって、ＰＳＴＮ電話通信を行うかＶｏＩＰ電話通信を行うかを選択することができる。
【０００４】
【特許文献１】特開２００４−４０２５１号公報
【発明の開示】
【発明が解決しようとする課題】
【０００５】
ＰＳＴＮ電話通信またはＶｏＩＰ電話通信のいずれの電話通信を行うかは、上記のように、入力された電話番号などに基づいて判断されるか、ユーザが自ら選択するため、一旦ＰＳＴＮ電話通信を行い、通信料金を低減させるなどの理由でＶｏＩＰ電話通信に変更したい場合は、ＰＳＴＮ電話通信を行った側のユーザ、すなわち電話を掛けたユーザが、変更するための新たな操作を行わない限り変更することができないという問題がある。
【０００６】
本発明の目的は、速やかにＰＳＴＮ電話通信をＶｏＩＰ電話通信に変更するとともに、変更操作に伴うユーザの負担を減少させることが可能な電話通信装置を提供することである。
【課題を解決するための手段】
【０００７】
本発明は、公衆電話交換回線網を介するアナログ電話通信とインターネットプロトコルを利用するデジタル電話通信とを行う電話通信装置であって、
前記アナログ電話通信用の電話番号と、前記デジタル電話通信用の電話番号とを関連付けて記憶する記憶手段と、
着信時に相手先の電話番号を検出する発信者番号検出手段と、
前記アナログ電話通信または前記デジタル電話通信で発信を行う発信手段と、
検出された相手先の電話番号が、前記記憶手段にアナログ電話通信用の電話番号として記憶されているかどうかを判断し、アナログ電話通信用の電話番号が記憶されていた場合はアナログ電話通信用の電話番号に関連付けられたデジタル電話通信用の電話番号が記憶されているかどうかを判断し、デジタル電話通信用の電話番号が記憶されていた場合は、前記発信手段にデジタル電話通信で発信を行わせる制御手段とを有することを特徴とする電話通信装置である。
【０００８】
また本発明は、相手先の電話通信装置に対して音声メッセージを送出するメッセージ送出手段を有し、
前記デジタル電話通信用の電話番号が記憶されていた場合、前記制御手段は、アナログ電話通信を行い、デジタル電話通信に切り替えることを示す音声メッセージをアナログ電話通信によって前記メッセージ送出手段に送出させ、アナログ電話通信を終了させた後、前記発信手段にデジタル電話通信で発信を行わせることを特徴とする。
【０００９】
また本発明は、相手先の電話通信装置に対して音声メッセージを送出するメッセージ送出手段を有し、
前記デジタル電話通信用の電話番号が記憶されていた場合、前記制御手段は、アナログ電話通信を行い、前記発信手段にデジタル電話通信で発信を行わせ、相手先の呼び出しを確認した後、デジタル電話通信に切り替えることを示す音声メッセージをアナログ電話通信によって前記メッセージ送出手段に送出させ、アナログ電話通信を終了させることを特徴とする。
【００１０】
また本発明は、相手先の電話通信装置に対して音声メッセージを送出するメッセージ送出手段を有し、
前記デジタル電話通信用の電話番号が記憶されていた場合、前記制御手段は、前記発信手段にデジタル電話通信で発信を行わせ、相手先の呼び出しを確認した後、アナログ電話通信が開始していれば、デジタル電話通信に切り替えることを示す音声メッセージをアナログ電話通信によって前記メッセージ送出手段に送出させ、アナログ電話通信を終了させることを特徴とする。
【００１１】
また本発明は、前記デジタル電話通信用の電話番号が記憶されていた場合、前記制御手段は、前記発信手段にデジタル電話通信で発信を行わせ、相手先の呼び出しを確認した後、アナログ電話通信が開始していなければ、アナログ電話通信を終了させることを特徴とする。
【００１２】
また本発明は、ユーザが前記アナログ電話通信用の電話番号または前記デジタル電話通信用の電話番号を入力するための入力手段を有し、
前記入力手段によって、アナログ電話通信用の電話番号が入力された場合、前記制御手段は、
前記記憶手段に入力された電話番号に関連付けられたデジタル電話通信用の電話番号が記憶されているかどうかを判断し、デジタル電話通信用の電話番号が記憶されていた場合は、前記発信手段にアナログ電話通信での発信ではなくデジタル電話通信で発信を行わせることを特徴とする。
【発明の効果】
【００１３】
本発明によれば、公衆電話交換回線網を介するアナログ電話通信とインターネットプロトコルを利用するデジタル電話通信とを行う電話通信装置である。
【００１４】
記憶手段には、予め前記アナログ電話通信用の電話番号と、前記デジタル電話通信用の電話番号とを関連付けて記憶しておく。
【００１５】
着信時に発信者番号検出手段が、相手先の電話番号を検出すると、制御手段は、検出された相手先の電話番号が、前記記憶手段にアナログ電話通信用の電話番号として記憶されているかどうかを判断する。アナログ電話通信用の電話番号が記憶されていた場合はアナログ電話通信用の電話番号に関連付けられたデジタル電話通信用の電話番号が記憶されているかどうかを判断する。デジタル電話通信用の電話番号が記憶されていた場合は、発信手段にデジタル電話通信で発信を行わせる。この後、相手先でオフフックされれば、デジタル電話通信を行うことができる。
【００１６】
このように、記憶手段にアナログ電話通信用の電話番号に関連付けられたデジタル電話通信用の電話番号が記憶されていれば、デジタル電話通信で発信を行うので、アナログ電話通信からデジタル電話通信へ変更する際の操作に伴うユーザの負担を減少させることができる。
【００１７】
また本発明によれば、相手先の電話通信装置に対して音声メッセージを送出するメッセージ送出手段を有している。
【００１８】
前記デジタル電話通信用の電話番号が記憶されていた場合、前記制御手段は、アナログ電話通信を行い、デジタル電話通信に切り替えることを示す音声メッセージをアナログ電話通信によって前記メッセージ送出手段に送出させる。メッセージを送出すると、アナログ電話通信を終了させて、前記発信手段にデジタル電話通信で発信を行わせる。
【００１９】
これにより、速やかにアナログ電話通信からデジタル電話通信へ変更することができる。また、音声メッセージとしてたとえば、「ＩＰ電話で電話を掛け直しますので、電話を切ってお待ちください」などのメッセージを送出し、相手先のユーザにデジタル電話通信に切り替えることを報知することで、より速やかにデジタル電話通信へ変更することができる。
【００２０】
また本発明によれば、相手先の電話通信装置に対して音声メッセージを送出するメッセージ送出手段を有している。
【００２１】
前記デジタル電話通信用の電話番号が記憶されていた場合、前記制御手段は、アナログ電話通信を行い、前記発信手段にデジタル電話通信で発信を行わせる。相手先の呼び出しを確認した後、アナログ電話通信によってデジタル電話通信に切り替えることを示す音声メッセージを前記メッセージ送出手段に送出させ、アナログ電話通信を終了させる。
【００２２】
これにより、速やかにかつ確実にアナログ電話通信からデジタル電話通信へ変更することができる。また、音声メッセージとしてたとえば、「ＩＰ電話で電話を掛け直しますので、電話を切ってお待ちください」などのメッセージを送出し、相手先のユーザにデジタル電話通信に切り替えることを報知することで、より速やかにデジタル電話通信へ変更することができる。
【００２３】
また本発明によれば、相手先の電話通信装置に対して音声メッセージを送出するメッセージ送出手段を有している。
【００２４】
前記デジタル電話通信用の電話番号が記憶されていた場合、前記制御手段は、前記発信手段にデジタル電話通信で発信を行わせる。相手先の呼び出しを確認した後、アナログ電話通信が開始していれば、アナログ電話通信によってデジタル電話通信に切り替えることを示す音声メッセージを前記メッセージ送出手段に送出させ、アナログ電話通信を終了させる。
【００２５】
これにより、速やかにかつ確実にアナログ電話通信からデジタル電話通信へ変更することができる。また、音声メッセージとしてたとえば、「ＩＰ電話に切り替えます。」などのメッセージを送出し、相手先のユーザにデジタル電話通信に切り替えることを報知することで、より速やかにデジタル電話通信へ変更することができる。
【００２６】
また本発明によれば、前記デジタル電話通信用の電話番号が記憶されていた場合、前記制御手段は、前記発信手段にデジタル電話通信で発信を行わせ、相手先の呼び出しを確認した後、アナログ電話通信が開始していなければ、アナログ電話通信を終了させる。
【００２７】
これにより、速やかにかつ確実にアナログ電話通信からデジタル電話通信へ変更することができる。
【００２８】
また本発明によれば、ユーザが前記アナログ電話通信用の電話番号または前記デジタル電話通信用の電話番号を入力するための入力手段を有している。
【００２９】
前記入力手段によって、アナログ電話通信用の電話番号が入力された場合、前記制御手段は、前記記憶手段に入力された電話番号に関連付けられたデジタル電話通信用の電話番号が記憶されているかどうかを判断する。デジタル電話通信用の電話番号が記憶されていた場合は、前記発信手段にアナログ電話通信での発信ではなくデジタル電話通信で発信を行わせる。
【００３０】
これにより、着信時だけでなく発信時であってもデジタル電話通信へ変更する際の操作に伴うユーザの負担を減少させることができる。
【発明を実施するための最良の形態】
【００３１】
図１は、本発明の第１の実施形態である電話通信装置１００の構成を示すブロック図である。この電話通信装置１００は、公衆電話回線網（ＰＳＴＮ）を介しての電話通信であるＰＳＴＮ電話通信（アナログ電話通信）およびインターネットなどを介し、ＶｏＩＰを利用する電話通信であるＶｏＩＰ電話通信（デジタル電話通信）を行う。
【００３２】
電話通信装置１００は、ＰＳＴＮ回線インタフェース（Ｉ／Ｆ）１、ＰＳＴＮ回線用２線−４線変換手段２、電話機音声回路３、受話器４、２線−４線送受話制御手段５、ＰＳＴＮ回線Ｉ／Ｆ制御手段６、ＰＳＴＮ回線ダイヤル送出制御手段７、ＡＤＳＬ回路制御手段８、ＣＰＵ（中央演算処理装置）９、記憶手段１０、表示画面制御手段１１、表示素子１２、各種キー読み込み手段１３、各種キー１４、音声メッセージ発生手段１５、ＣＡＲ信号検出回路１６、ダイヤル信号検出回路１７、ＡＤＳＬ回線Ｉ／Ｆ１８、ＡＤＳＬ変復調回路１９、デジタル信号処理回路２０および音声コーデック２１を含んで構成される。
【００３３】
ＰＳＴＮ電話通信を行うため、公衆電話回線の加入者線にはインタフェース回路であるＰＳＴＮ回線Ｉ／Ｆ１を介して接続する。ＰＳＴＮ回線を介して受信される音声信号は、ＰＳＴＮ回線用２線−４線変換手段２の２線側に入力される。入力された音声信号は、４線側のうちの２線を使用する受話用に分けられ、電話機音声回路３で増幅されて受話器４のスピーカで再生される。ＰＳＴＮ回線に対して送信する音声信号は、受話器４のマイクに入力された音声が電気信号に変換され、電話機音声回路３で増幅される。増幅された音声信号は、ＰＳＴＮ回線用２線−４線変換手段２の４線側の２線を使用する送話用として入力され、２線側からＰＳＴＮ回線Ｉ／Ｆ１を介してＰＳＴＮ回線に送出される。
【００３４】
このようなＰＳＴＮ回線用２線−４線変換手段２の動作は、２線−４線送受話制御手段５によって制御され、ＰＳＴＮ回線Ｉ／Ｆ１の動作は、ＰＳＴＮ回線Ｉ／Ｆ制御手段６によって制御される。
【００３５】
ＰＳＴＮ回線ダイヤル送出制御手段７は、ＰＳＴＮ回線Ｉ／Ｆ１を介してＰＳＴＮ回線にダイヤル信号を送出する。
【００３６】
ＣＡＲ信号検出回路１６は、ＰＳＴＮ電話機の電話番号を検出する時の検出起動信号としてのＣＡＲ信号を検出し、ダイヤル信号検出回路１７は、相手先のダイヤル番号を検出するモデム機能を含む発信者番号検出手段である。
【００３７】
電話通信装置の付加的な機能を実現するために、記憶手段１０は、電話通信装置１００を制御するための制御プログラム、留守番電話機能を実現するための留守番電話プログラムなどの各種プログラム、相手先の名称などとＰＳＴＮ電話通信用の電話番号（ＰＳＴＮ電話番号）およびＶｏＩＰ電話通信用の電話番号（ＶｏＩＰ電話番号）とを関連付けた電話帳データなどを記憶する。
【００３８】
表示素子１２は、液晶表示装置などで実現され、表示画面制御手段１１に制御され、電話通信装置の各機能を動作させるためのメニュー画面、現在の電話通信装置の状態を示すステータス画面など、ユーザに報知するべき情報を表示する。
【００３９】
各種キー１４は、相手先の電話番号などを入力するためのダイヤルキー、各機能を動作させるためのファンクションキーなどで構成され、ユーザによって押下されると、各種キー読み込み手段１３によっていずれのキーが押されたかが判断される。
音声メッセージ発生手段１５は、予め記憶している音声メッセージを再生する。
【００４０】
ＶｏＩＰ回線を利用するＶｏＩＰ電話通信を行うため、スプリッタなどで加入者線から分離したＡＤＳＬ回線にＡＤＳＬ回線Ｉ／Ｆ１８を介して接続し、ＡＤＳＬ変復調回路１９による変調、デジタル信号処理回路２０によるＶｏＩＰ電話用のプロトコル変換および音声信号の送受信を行う。音声コーデック２１は、ＶｏＩＰ回線を介して受信するデジタル音声信号をアナログ音声信号に変換し、変換された音声信号が受話器４のスピーカから音声として出力される。受話器４のマイクに入力された音声は、アナログ音声信号として音声コーデック２１はデジタル音声信号に変換する。ＡＤＳＬ回路制御手段８は、ＡＤＳＬ回線Ｉ／Ｆ１８およびＡＤＳＬ変復調回路１９の動作を制御する。
【００４１】
ＣＰＵ９は、上記の各回路および手段を制御することで電話通信装置１００全体の制御を行う制御手段である。
【００４２】
発信手段は、ＣＰＵ９および記憶手段１０を含んで構成される。メッセージ送出手段は、ＣＰＵ９および音声メッセージ発生手段１５を含んで構成される。入力手段は、ＣＰＵ９、記憶手段１０、各種キー読み込み手段１３および各種キー１４を含んで構成される。
【００４３】
なお、ＡＤＳＬ回線以外のブロードバンド接続用としてＦＴＴＨ、ＣＡＴＶ用のモデム、その他のルータ、ゲートウエイに接続用として、ＷＡＮ（Wide Area Network）Ｉ／Ｆ、ＬＡＮ（Local Area Network）Ｉ／Ｆを備えていてもよい。
【００４４】
電話通信装置１００は、ＰＳＴＮ電話通信の着信時に、相手先のＰＳＴＮ電話番号を検出し、電話帳データを参照して、ＰＳＴＮ電話番号に関連付けられたＶｏＩＰ電話番号を取得する。ＰＳＴＮ電話通信を終了するとともに、取得したＶｏＩＰ電話番号に基づいてＶｏＩＰ電話通信の発信を行う。ＰＳＴＮ電話通信を終了する前に、相手先の電話通信装置に対して、電話通信を切り替えることを示すメッセージ、たとえば「ＩＰ電話で電話を掛け直しますので、電話を切ってお待ちください」などの音声メッセージを送出することが好ましい。
【００４５】
記憶手段１０にＰＳＴＮ電話番号に関連付けられたＶｏＩＰ電話番号が記憶されていれば、ＶｏＩＰ電話通信で発信を行うので、ＰＳＴＮ電話通信からＶｏＩＰ電話通信へ変更する際の操作に伴うユーザの負担を減少させることができる。
【００４６】
ＰＳＴＮ電話通信の着信時において、相手先のＰＳＴＮ電話番号を検出するには、予め発信者番号通知サービスを、電話キャリアと契約する必要がある。契約が完了していると、電話が掛かってくるたびに、まず。ＣＡＲ信号（ＰＳＴＮ回線の呼出信号と同じ周波数成分を持ち、呼出信号と周期が異なる信号で、特有の信号ＯＮ／ＯＦＦの周期を持つ信号）が、交換機から電話通信装置に発信される。ＣＡＲ信号を受信した電話通信装置は、ＣＡＲ信号検出回路１６にて信号を検出し、ＣＰＵ９によって、正しくＣＡＲ信号であるかを確認する。ＣＡＲ信号であることが確認されると、発信者番号（ＰＳＴＮ電話番号）を受信するために、ＣＰＵ９は、ＰＳＴＮ回線Ｉ／Ｆ制御手段６を動作させ、ＰＳＴＮ回線Ｉ／Ｆ１を制御してＰＳＴＮ回線用２線−４線変換手段２とＰＳＴＮ回線とを接続する。ＰＳＴＮ回線用２線−４線変換手段２とＰＳＴＮ回線とが接続されると、交換機が、電話通信装置側で発信者番号の受信準備が出来たことを検出し、電話番号に相当するダイヤル信号を送出する。送出されたダイヤル信号は、ＰＳＴＮ回線用２線−４線変換手段２を経由してダイヤル信号検出回路１７に入力され、デジタル信号に変換されて、ＣＰＵ９が発信者番号を取得する。取得した発信者番号は、たとえば、ＣＰＵ９が表示画面制御手段１１を動作させ、表示素子１２に表示される。
【００４７】
図２は、記憶手段１０に記憶されている電話帳データ３０の構成を示す図である。電話帳データ３０は、名称３１、ＰＳＴＮ電話番号３２およびＶｏＩＰ電話番号３３からなる。名称３１は、相手先電話通信装置のユーザ名や会社名などを示す。ＰＳＴＮ電話番号３２およびＶｏＩＰ電話番号３３は、それぞれＰＳＴＮ電話通信に用いる電話番号およびＶｏＩＰ電話通信に用いる電話番号を示し、名称３１、ＰＳＴＮ電話番号３２およびＶｏＩＰ電話番号３３は相互に関連付けられている。たとえば図２では、名称がＢさんおよびＣ社のデータについては、ＰＳＴＮ電話番号およびＶｏＩＰ電話番号のいずれも関連付けて記憶されている。また、名称がＡさんのデータについては、ＰＳＴＮ電話番号のみが記憶されており、Ｄさんのデータについては、ＶｏＩＰ電話番号のみが記憶されている。
【００４８】
ＢさんまたはＣ社の電話通信装置からＰＳＴＮ電話通信の着信があった場合、電話帳データ３０を参照し、検出したＰＳＴＮ電話番号に関連付けられたＶｏＩＰ電話番号に基づいて、ＶｏＩＰ電話通信の発信を行うことができる。
【００４９】
本実施形態では、ＰＳＴＮ電話通信の通話状態に移行した後、切り替えを示す音声メッセージを送出し、ＰＳＴＮ電話通信を終了してＶｏＩＰ電話通信の発信を行う。相手先のユーザがオフフックすることで、ＶｏＩＰ電話通信による通話が可能となる。これにより、速やかにアナログ電話通信からデジタル電話通信へ変更することができる。
【００５０】
ＰＳＴＮ交換網とＩＰ通信網は、各々独立した網であるので、ＰＳＴＮ電話通信の接続を切断する、しないにかかわらず、ＶｏＩＰ電話通信で発信を行うことは可能である。
【００５１】
第２の実施形態では、ＰＳＴＮ電話通信の通話状態に移行した後、ＶｏＩＰ電話通信の発信を行い、呼び出しが確認できた時点で音声メッセージを送出してＰＳＴＮ電話通信を終了する。相手先のユーザがオフフックすることで、ＶｏＩＰ電話通信による通話が可能となる。これにより、より速やかにアナログ電話通信からデジタル電話通信へ変更することができる。
【００５２】
第３の実施形態では、ＰＳＴＮ電話通信の通話状態に移行する前にＶｏＩＰ電話通信の発信を行い、呼び出しが確認できた時点でＰＳＴＮ電話通信の通話状態に移行すれば、音声メッセージを送出してＰＳＴＮ電話通信を終了する。このときの音声メッセージとしては、たとえば「ＩＰ電話に切り替えます。」などのメッセージを送出する。これにより、より速やかにアナログ電話通信からデジタル電話通信へ変更することができる。
【００５３】
第４の実施形態では、ＰＳＴＮ電話通信の通話状態に移行する前にＶｏＩＰ電話通信の発信を行い、呼び出しが確認できた時点で未だＰＳＴＮ電話通信の通話状態に移行していなければ、ＰＳＴＮ電話通信を終了し、ＶｏＩＰ電話通信の呼び出しを継続する。相手先のユーザがオフフックすることで、ＶｏＩＰ電話通信による通話が可能となる。このときは、一度も通話状態に移行していないので音声メッセージを送出する必要はない。これにより、より速やかにアナログ電話通信からデジタル電話通信へ変更することができる。
【００５４】
なお、第２〜第４の実施形態について、構成を示すブロック図および電話帳データなどは、第１の実施形態と同様であるので説明を省略する。
【００５５】
図３および図４は、第１の実施形態である電話通信装置１００の電話通信処理を示すフローチャートである。
【００５６】
この処理は着信待機状態で開始される。ステップＳ１では、ＣＰＵ９が電話通信の着信があるかどうかを判断し、着信があればステップＳ２に進み、着信がなければ待機状態を維持する。ステップＳ２では、ＣＰＵ９がＰＳＴＮ回線からの着信であるかどうかを判断し、ＰＳＴＮ回線からの着信であればステップＳ３に進み、ＰＳＴＮ回線からの着信でなければステップＳ８に進む。
【００５７】
ステップＳ３では、ダイヤル信号検出回路１７などを動作させて前述のように発信者番号の検出を行う。ステップＳ４では、ＣＰＵ９が発信者番号の検出が可能であるかどうかを判断し、可能であればステップＳ５に進み、不可能であればステップＳ８に進む。発信者番号の検出が不可能な場合とは、たとえば相手先の設定が発信者番号非通知である場合、相手先の電話通信装置が公衆電話機である場合などである。
【００５８】
ステップＳ５では、ＣＰＵ９が記憶手段１０に記憶されている電話帳データ３０を参照して、相手先の発信者番号が、ＰＳＴＮ電話番号として記憶されているかどうかを判断する。記憶されていればステップＳ６に進み、記憶されていなければステップＳ８に進む。ステップＳ６では、ＣＰＵ９が電話帳データ３０を参照して、ＰＳＴＮ電話番号に関連付けられたＶｏＩＰ電話番号が記憶されているかどうかを判断する。記憶されていればステップＳ７に進み、記憶されていなければステップＳ８に進む。ステップＳ７では、音声メッセージ発生手段１５などを動作させて音声メッセージの送出準備を行う。
【００５９】
またステップＳ８では、ＣＰＵ９が呼び出しの継続を判断し、継続していればステップＳ９に進み、継続していなければ処理を終了し、着信待機状態に戻る。呼び出しが継続していない場合とは、相手先の電話通信装置においてオンフックされ、通信回線が切断された場合である。ステップＳ９では、ＣＰＵ９がオフフックされたかどうかを判断し、オフフックされればステップＳ１０に進み、オフフックされなければステップＳ８に戻る。
【００６０】
ステップＳ１０では、通話処理を行い、相手先の電話通信装置と電話通信装置１００との間で音声信号を送受信する。ステップＳ１１でオンフック操作が行われると通信回線を切断し処理を終了する。
【００６１】
ステップＳ１２では、ＣＰＵ９がオフフックされたかどうかを判断し、オフフックされればステップＳ１３に進み、オフフックされなければステップＳ１９に進む。ステップＳ１９では、ＣＰＵ９が呼び出しの継続を判断し、継続していればステップＳ１２に戻り、継続していなければ処理を終了し、着信待機状態に戻る。
【００６２】
ステップＳ１３では、通話処理を行い、相手先の電話通信装置と電話通信装置１００との間で音声信号の送受信を可能とする。ステップＳ１４では、音声メッセージ発生手段１５などを動作させて電話通信を切り替えることを示す音声メッセージを送出する
ステップＳ１５では、ＰＳＴＮ回線の切断などＰＳＴＮ電話通信の終了処理を行う。ステップＳ１６では、電話通信を切り替えるためにＶｏＩＰ電話通信での発信を行う。ステップＳ１７では、ＶｏＩＰ電話通信での通話処理を行う。ステップＳ１８でオンフック操作が行われると通話処理を終了する。
【００６３】
第２〜第４の実施形態についてのフローチャートは、上記のフローチャートにおいてステップの順序を入れ替えるまたはステップを省略するだけである。第２の実施形態は、ステップＳ１５とステップＳ１６の順序を入れ替えることで実現できる。第３の実施形態は、ステップＳ１６をステップＳ１２の直前に行うことで実現できる。第４の実施形態は、ステップＳ７、ステップＳ１２〜ステップＳ１４、ステップＳ１９を省略し、ステップＳ１５とステップＳ１６の順序を入れ替えることで実現できる。
【００６４】
また、本発明の電話通信装置から発信を行うときに、ＰＳＴＮ電話番号をたとえばＢさんに電話をするときに回した電話番号が、ＰＳＴＮ電話用で有ったとき、自動的な電話帳検索で、ＩＰ電話番号を持っていれば、ＰＳＴＮ電話ではなく、ＩＰ電話として自動的にダイヤルすることも可能となる。
【００６５】
第１〜第４の実施形態において、発信時にユーザによって、ダイヤルキーが押下される、電話帳機能で予め記憶されている電話番号が選択されるなどして、ＰＳＴＮ電話番号が入力された場合、ＣＰＵ９は、電話帳データ３０を参照し、入力されたＰＳＴＮ電話番号に関連付けられたＶｏＩＰ電話番号が記憶されているかどうかを判断する。関連付けられたＶｏＩＰ電話番号が記憶されていれば、ＰＳＴＮ電話通信での発信ではなく、ＶｏＩＰ電話通信の発信を行う。
【図面の簡単な説明】
【００６６】
【図１】本発明の第１の実施形態である電話通信装置１００の構成を示すブロック図である。
【図２】記憶手段１０に記憶されている電話帳データ３０の構成を示す図である。
【図３】第１の実施形態である電話通信装置１００の電話通信処理を示すフローチャートである。
【図４】第１の実施形態である電話通信装置１００の電話通信処理を示すフローチャートである。
【符号の説明】
【００６７】
１  ＰＳＴＮ回線Ｉ／Ｆ
２  ＰＳＴＮ回線用２線−４線変換
３  電話機音声回路
４  受話器
５  ２線−４線送受話制御手段
６  ＰＳＴＮ回線Ｉ／Ｆ制御手段
７  ＰＳＴＮダイヤル送出制御手段
８  ＡＤＳＬ回路制御手段
９  ＣＰＵ
１０  記憶手段
１１  表示画面制御手段
１２  表示素子
１３  各種キー読み込み手段
１４  各種キー
１５  音声メッセージ発生手段
１６  ＣＡＲ信号検出回路
１７  ダイヤル信号検出回路
１８  ＡＤＳＬ回線Ｉ／Ｆ
１９  ＡＤＳＬ変復調回路
２０  デジタル信号処理回路
２１  音声コーデック
３０  電話帳データ
１００  電話通信装置
【図１】
2006080997.tif 000003
【図２】
2006080997.tif 000004
【図３】
2006080997.tif 000005
【図４】
2006080997.tif 000006